(57)【要約】【課題】リモコン端末の構成が複雑化するのを抑制しながら、録画された放送映像を簡単な操作で再生可能な録画再生装置を提供する。【解決手段】このハードディスクレコーダ１は、ハードディスクレコーダ１が動作状態の場合に、放送受信部１２の受信チャンネルに対応する複数の数字ボタン２１を有するリモコン２を備え、ＣＰＵ１１は、放送映像を再生する際に、数字ボタン２１が押下された場合に、押下された数字ボタン２１の数字情報に対応した時間分、遡った時刻にハードディスクドライブ１３に録画された放送映像を再生する再生制御を行うように構成されている。【選択図】図３
2015126315.tif 000002
【特許請求の範囲】
【請求項１】
放送映像を受信する受信部と、
前記受信部が受信した前記放送映像を録画する記憶部と、
録画再生装置全体の動作を制御する制御部と、
前記録画再生装置が動作状態の場合に、前記受信部の受信チャンネルに対応する複数の数字ボタンを有するリモコン端末とを備え、
前記制御部は、録画された前記放送映像を再生する際に、前記数字ボタンが押下された場合に、押下された前記数字ボタンの数字情報に対応した時間分、遡った時刻に前記記憶部に録画された前記放送映像を再生する再生制御を行うように構成されている、録画再生装置。
【請求項２】
前記制御部は、前記録画再生装置が待機状態、または、前記制御部が前記再生制御中において、録画された前記放送映像を再生する際に、複数の前記数字ボタンのうちの１つの前記数字ボタンが押下された場合に、押下された前記数字ボタンの数字情報に対応した時間分、遡った時刻に前記記憶部に録画された前記放送映像を再生する前記再生制御を行うように構成されている、請求項１に記載の録画再生装置。
【請求項３】
前記制御部は、前記録画再生装置が待機状態において、録画された前記放送映像を再生する際に、複数の前記数字ボタンのうちの１つの前記数字ボタンが押下された場合には、前記録画再生装置を動作状態にする第１電源オン制御を行うとともに、押下された前記数字ボタンの数字情報に対応した時間分、遡った時刻に前記記憶部に録画された前記放送映像を再生する前記再生制御を行うように構成されている、請求項２に記載の録画再生装置。
【請求項４】
外部表示装置と接続可能な接続部をさらに備え、
前記制御部は、前記録画再生装置が待機状態において、録画された前記放送映像を再生する際に、複数の前記数字ボタンのうちの１つの前記数字ボタンが押下された場合に、前記録画再生装置を動作状態にする前記第１電源オン制御と、前記外部表示装置を動作状態にするための表示装置電源オン信号を前記接続部を介して送信する第２電源オン制御と、押下された前記数字ボタンの数字情報に対応した時間分、遡った時刻に前記記憶部に録画された前記放送映像を再生する前記再生制御とを行うように構成されている、請求項３に記載の録画再生装置。
【請求項５】
前記制御部は、前記制御部が前記再生制御中において、前記数字ボタンが押下された場合に、押下された前記数字ボタンの数字情報に対応した時間分、さらに遡った時刻に前記記憶部に録画された前記放送映像を再生する前記再生制御を行うように構成されている、請求項２〜４のいずれか１項に記載の録画再生装置。
【請求項６】
前記受信部は、複数の前記受信チャンネルの前記放送映像を同時に受信可能に構成されており、
前記リモコン端末は、前記数字ボタンとは別個に、前記受信部の受信チャンネルを切り替えるチャンネル切替ボタンを有し、
前記制御部は、前記制御部が前記再生制御中で、かつ、前記チャンネル切替ボタンが押下された場合に、前記制御部が前記再生制御中の前記放送映像から、押下された前記チャンネル切替ボタンに対応した前記受信部の受信チャンネルにおいて、前記再生制御中の前記放送映像と同時刻に受信して録画された前記放送映像に、再生を切り替える制御を行うように構成されている、請求項２〜５のいずれか１項に記載の録画再生装置。
【請求項７】
前記数字ボタンの数字情報に対応した数字を表示する表示部をさらに備え、
前記制御部は、前記数字ボタンが押下された場合には、押下された前記数字ボタンの数字を前記表示部に表示するとともに、前記数字に対応した時間分、遡った時刻に録画された前記放送映像を再生する前記再生制御を行うように構成されている、請求項１〜６のいずれか１項に記載の録画再生装置。
【請求項８】
前記制御部は、前記制御部が前記再生制御中である場合に、前記表示部に、現在時刻情報を表示しながら、前記再生制御中の前記放送映像が録画された時刻に対応する録画時刻情報を表示する制御を行うように構成されている、請求項７に記載の録画再生装置。
【請求項９】
外部表示装置と接続可能な接続部をさらに備え、
前記制御部は、前記制御部が前記再生制御中は、前記接続部を介して、前記外部表示装置に、現在時刻情報を表示させる現在時刻情報信号を送信しながら、前記外部表示装置に、前記再生制御中の前記放送映像が録画された時刻に対応する録画時刻情報を表示させる録画時刻情報信号を送信する制御を行うように構成されている、請求項１〜８のいずれか１項に記載の録画再生装置。
【請求項１０】
前記記憶部は、前記受信部が受信した前記放送映像を所定の期間連続録画可能に構成されており、
前記制御部は、連続録画された前記放送映像を再生する際に、複数の前記数字ボタンのうちの１つの前記数字ボタンが押下された場合に、押下された前記数字ボタンの数字情報に対応した時間分、遡った時刻に前記記憶部に連続録画された前記放送映像を再生する再生制御を行うように構成されている、請求項１〜９のいずれか１項に記載の録画再生装置。
【発明の詳細な説明】
【技術分野】
【０００１】
この発明は、録画再生装置に関し、特に、リモコン端末を備えた録画再生装置に関する。
【背景技術】
【０００２】
従来、リモコン端末を備えた録画再生装置が知られている（たとえば、特許文献１参照）。
【０００３】
上記特許文献１には、番組データを再生するための再生ボタンを含むリモートコントローラを備えるデジタル記憶再生装置が開示されている。このデジタル記憶再生装置のリモートコントローラでは、再生ボタンは、１時から２４時までの時刻マークが配置された左右に回動可能な第１操作部と、日曜日から土曜日までの曜日マークが配置された左右に回動可能な第２操作部とを備える。そして、上記特許文献１のリモートコントローラは、第１操作部および第２操作部によって指定されたデジタル記録再生装置再生信号を送信することにより、従来の録画再生装置のように、番組データ一覧を表示して表示された番組データ一覧から選択する操作を行う必要がなく、簡単な操作で録画された放送映像を再生可能なように構成されている。
【先行技術文献】
【特許文献】
【０００４】
【特許文献１】特開２０１３−０８５２５７号公報
【発明の概要】
【発明が解決しようとする課題】
【０００５】
しかしながら、上記特許文献１のデジタル記憶再生装置のリモートコントローラは、専用の第１操作部および第２操作部を設けているため、その分、リモートコントローラの構成が複雑化するという問題点がある。
【０００６】
この発明は、上記のような課題を解決するためになされたものであり、この発明の１つの目的は、リモコン端末の構成が複雑化するのを抑制しながら、録画された放送映像を簡単な操作で再生可能な録画再生装置を提供することである。
【課題を解決するための手段】
【０００７】
上記目的を達成するために、この発明の一の局面による録画再生装置では、放送映像を受信する受信部と、受信部が受信した放送映像を録画する記憶部と、録画再生装置全体の動作を制御する制御部と、録画再生装置が動作状態の場合に、受信部の受信チャンネルに対応する複数の数字ボタンを有するリモコン端末とを備え、制御部は、録画された放送映像を再生する際に、数字ボタンが押下された場合に、押下された数字ボタンの数字情報に対応した時間分、遡った時刻に記憶部に録画された放送映像を再生する再生制御を行うように構成されている。なお、映像とは、一般的には、音声を含まないが、本願における放送映像とは、放送された動画および放送された音声を含む、より広い概念の映像を表す。
【０００８】
この発明の一の局面による録画再生装置では、上記のように制御部を構成することにより、リモコン端末の数字ボタンの押下のみの簡単な操作によって、押下された数字ボタンの数字情報に対応した時間分、遡った時刻に録画された放送映像を再生するので、録画時刻を入力して、入力した録画時刻の放送映像を再生する場合に比べて、録画された放送映像を簡単な操作で再生することができる。これに加えて、上記のようにリモコン端末を構成することによって、リモコン端末は、受信チャンネルを変更する機能と、記憶部に録画された放送映像を再生するための機能とを兼ね備えるので、録画された放送映像を再生するための専用ボタンを設ける必要がなく、その分、リモコン端末の構成が複雑化するのを抑制することができる。その結果、リモコン端末の構成が複雑化するのを抑制しながら、放送映像一覧を表示して表示された放送映像一覧から選択する操作を行うことなく、録画された放送映像を簡単な操作で再生することができる。また、記憶部を、受信部が受信した放送映像を所定の期間連続録画可能に構成する場合には、一般的に、多くの放送映像が録画されるので、多くの放送映像から選択する操作を行うことは非常に煩雑である。この場合に、本発明のように、リモコン端末の押下のみの簡単な操作によって、録画された放送映像を再生することができることは非常に有効である。
【０００９】
上記一の局面による録画再生装置において、好ましくは、制御部は、録画再生装置が待機状態、または、制御部が再生制御中において、録画された放送映像を再生する際に、複数の数字ボタンのうちの１つの数字ボタンが押下された場合に、押下された数字ボタンの数字情報に対応した時間分、遡った時刻に記憶部に録画された放送映像を再生する再生制御を行うように構成されている。このように構成すれば、録画再生装置が待機状態および制御部が再生制御中のいずれの場合にも、リモコン端末の数字ボタンの押下のみの簡単な操作によって、録画された放送映像を再生することができる。
【００１０】
この場合、好ましくは、制御部は、録画再生装置が待機状態において、録画された放送映像を再生する際に、複数の数字ボタンのうちの１つの数字ボタンが押下された場合には、録画再生装置を動作状態にする第１電源オン制御を行うとともに、押下された数字ボタンの数字情報に対応した時間分、遡った時刻に記憶部に録画された放送映像を再生する再生制御を行うように構成されている。このように構成すれば、リモコン端末の数字ボタンの押下のみの簡単な操作によって、録画再生装置を動作状態にすることと、録画された放送映像を再生することとを同時に行うことができる。その結果、録画再生装置が待機状態から録画された放送映像を再生制御する状態までの操作回数を少なくすることができる。これによっても、簡単な操作で再生を行うことができる。
【００１１】
上記録画再生装置を動作状態にする第１電源オン制御を行う制御部を備えた録画再生装置において、好ましくは、外部表示装置と接続可能な接続部をさらに備え、制御部は、録画再生装置が待機状態において、録画された放送映像を再生する際に、複数の数字ボタンのうちの１つの数字ボタンが押下された場合に、録画再生装置を動作状態にする第１電源オン制御と、外部表示装置を動作状態にするための表示装置電源オン信号を接続部を介して送信する第２電源オン制御と、押下された数字ボタンの数字情報に対応した時間分、遡った時刻に記憶部に録画された放送映像を再生する再生制御とを行うように構成されている。このように構成すれば、リモコン端末の数字ボタンの押下のみの簡単な操作によって、録画再生装置を動作状態にすることと、外部表示装置を動作状態にすることと、録画された放送映像を再生することとを同時に行うことができる。その結果、録画再生装置が待機状態から録画された放送映像を再生制御して外部表示装置に表示するまでの操作回数をより少なくすることができる。
【００１２】
上記録画再生装置が待機状態または制御部が再生制御中において再生制御を行う録画再生装置において、好ましくは、制御部は、制御部が再生制御中において、数字ボタンが押下された場合に、押下された数字ボタンの数字情報に対応した時間分、さらに遡った時刻に記憶部に録画された放送映像を再生する再生制御を行うように構成されている。このように構成すれば、放送映像一覧を表示して、表示された放送映像一覧から選択する操作を行うことなく、ユーザが録画された放送映像を視聴中に、視聴している放送映像よりもさらに遡った時刻に録画された放送映像を簡単な操作で再生することができる。
【００１３】
上記録画再生装置が待機状態または制御部が再生制御中において再生制御を行う録画再生装置において、好ましくは、受信部は、複数の受信チャンネルの放送映像を同時に受信可能に構成されており、リモコン端末は、数字ボタンとは別個に、受信部の受信チャンネルを切り替えるチャンネル切替ボタンを有し、制御部は、制御部が再生制御中で、かつ、チャンネル切替ボタンが押下された場合に、制御部が再生制御中の放送映像から、押下されたチャンネル切替ボタンに対応した受信部の受信チャンネルにおいて、再生制御中の放送映像と同時刻に受信して録画された放送映像に、再生を切り替える制御を行うように構成されている。このように構成すれば、チャンネル切替ボタンの押下のみの簡単な操作によって、容易に、再生制御中の放送映像と同時刻に受信して録画された放送映像のうちのチャンネル切替ボタンに対応した受信チャンネルの放送映像を再生することができる。
【００１４】
上記一の局面による録画再生装置において、好ましくは、数字ボタンの数字情報に対応した数字を表示する表示部をさらに備え、制御部は、数字ボタンが押下された場合には、押下された数字ボタンの数字を表示部に表示するとともに、数字に対応した時刻に録画された放送映像を再生する再生制御を行うように構成されている。このように構成すれば、押下された数字ボタンの数字を視認することができる。
【００１５】
この場合、好ましくは、制御部は、制御部が再生制御中である場合に、表示部に、現在時刻情報を表示しながら、再生制御中の放送映像が録画された時刻に対応する録画時刻情報を表示する制御を行うように構成されている。このように構成すれば、現在時刻と録画時刻とを同時に視認することができる。
【００１６】
上記一の局面による録画再生装置において、好ましくは、外部表示装置と接続可能な接続部をさらに備え、制御部は、制御部が再生制御中は、接続部を介して、外部表示装置に、現在時刻情報を表示させる現在時刻情報信号を送信しながら、外部表示装置に、再生制御中の放送映像が録画された時刻に対応する録画時刻情報を表示させる録画時刻情報信号を送信する制御を行うように構成されている。このように構成すれば、外部表示装置の表示された放送映像を見ながら、現在時刻と録画時刻とを同時に視認することができる。
【００１７】
上記一の局面による録画再生装置において、好ましくは、記憶部は、受信部が受信した放送映像を所定の期間連続録画可能に構成されており、制御部は、連続録画された放送映像を再生する際に、複数の数字ボタンのうちの１つの数字ボタンが押下された場合に、押下された数字ボタンの数字情報に対応した時間分、遡った時刻に記憶部に連続録画された放送映像を再生する再生制御を行うように構成されている。ここで、連続録画する場合は、一般的に連続録画しない場合よりも録画された放送映像の量が多い。この場合に、録画された多くの放送映像を含む放送映像一覧を表示して、表示された多くの放送映像の一覧から選択する操作を行うことは非常に煩雑である。このような場合に、本発明のように、リモコン端末の１つの数字ボタンの押下のみの簡単な操作によって、録画された放送映像を再生することができることは非常に有効である。
【発明の効果】
【００１８】
本発明によれば、上記のように、リモコン端末の構成が複雑化するのを抑制しながら、録画された放送映像を簡単な操作で再生することができる。
【図面の簡単な説明】
【００１９】
【図１】本発明の第１実施形態によるハードディスクレコーダの全体構成を示した図である。
【図２】本発明の第１実施形態によるハードディスクレコーダの構成を示したブロック図である。
【図３】本発明の第１実施形態によるハードディスクレコーダの電源オン制御および再生制御処理を説明するためのフローチャート（１）である。
【図４】本発明の第１実施形態によるハードディスクレコーダの電源オン制御および再生制御処理を説明するためのフローチャート（２）である。
【図５】本発明の第１実施形態によるハードディスクレコーダの電源オン制御および再生制御処理を説明するためのフローチャート（３）である。
【図６】本発明の第２実施形態によるハードディスクレコーダの構成を示したブロック図である。
【図７】本発明の第２実施形態によるハードディスクレコーダの全体構成を示した図である。
【図８】本発明の第２実施形態によるハードディスクレコーダの表示部の構成を示した図である。
【図９】本発明の第２実施形態によるハードディスクレコーダの電源オン制御および再生制御処理を説明するためのフローチャートである。
【図１０】本発明の第３実施形態によるハードディスクレコーダの全体構成を示した図である。
【図１１】本発明の第３実施形態によるハードディスクレコーダの表示部の構成を示した図である。
【図１２】本発明の第３実施形態によるハードディスクレコーダの電源オン制御および再生制御処理を説明するためのフローチャートである。
【発明を実施するための形態】
【００２０】
以下、本発明の実施形態を図面に基づいて説明する。
【００２１】
（第１実施形態）
図１および図２を参照して、本発明の第１実施形態によるハードディスクレコーダ１の構成について説明する。
【００２２】
第１実施形態では、図１に示すように、ハードディスクレコーダ１と、リモコン２と、ＴＶ３と、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）ケーブル４とが備えられている。ＨＤＭＩケーブル４は、ハードディスクレコーダ１とＴＶ３とを接続しており、ＣＥＣ（Ｃｏｎｓｕｍｅｒ  Ｅｌｅｃｔｒｏｎｉｃｓ  Ｃｏｎｔｒｏｌ）規格に基づいた制御信号および映像音声信号を伝達可能に構成されている。なお、ハードディスクレコーダ１は、本発明の「録画再生装置」の一例である。また、ＴＶ２は、本発明の「外部表示装置」の一例である。
【００２３】
そして、図２に示すように、ハードディスクレコーダ１は、ＣＰＵ（Ｃｅｎｔｒａｌ  Ｐｒｏｃｅｓｓｉｎｇ  Ｕｎｉｔ）１１と、放送受信部１２と、ハードディスクドライブ１３と、操作信号受信部１４と、信号処理部１５と、ＨＤＭＩ端子１６と、電源部１７とを含む。なお、ＣＰＵ１１は、本発明の「制御部」の一例である。また、ハードディスクドライブ１３は、本発明の「記憶部」の一例である。また、放送受信部１２は、本発明の「受信部」の一例である。また、ＨＤＭＩ端子１６は、本発明の「接続部」の一例である。
【００２４】
また、図２に示すように、ハードディスクレコーダ１の電源部１７は、ハードディスクレコーダ１全体に、電力を供給するように構成されている。また、放送受信部１２は、６つの受信チューナ１２ａ〜１２ｆと、受信アンテナ１２ｇとを含み、受信アンテナ１２ｇを介して、６つの放送チャンネルから同時に放送映像を受信可能に構成されている。そして、信号処理部１５は、受信された放送映像をハードディスクドライブ１３に録画可能にエンコードするように構成されているとともに、ハードディスクドライブ１３から放送映像を読み出す場合には、エンコードされた放送映像をデコードするように構成されている。そして、ＨＤＭＩ端子１６は、ＴＶ３とＨＤＭＩケーブル４とを介して接続可能に構成されており、ハードディスクドライブ１３から読み出された放送映像およびＣＥＣ規格の制御信号を送付可能に構成されている。
【００２５】
そして、図２に示すように、ハードディスクレコーダ１の操作信号受信部１４は、受光素子（図示せず）等を含み、リモコン２から出力された赤外光の信号を受信可能に構成されており、受信した信号を、ＣＰＵ１１に伝達するように構成されている。
【００２６】
ここで、第１実施形態では、ハードディスクドライブ１３は、放送受信部１２が受信した放送映像を所定の期間連続録画可能に構成されており、ＣＰＵ１１は、連続録画された放送映像を再生する際に、数字ボタン２１が押下された場合に、押下された数字ボタン２１の数字情報に対応させて、現在の時刻から遡った時刻にハードディスクドライブ１３に連続録画された放送映像を再生する再生制御を行うように構成されている。たとえば、ＣＰＵ１１は、ユーザの設定操作によって、放送受信部１２のチューナ１２ａ〜１２ｆにより放送されている第１チャンネルから第６チャンネルまでを受信する設定とし、期間を２週間連続録画するように設定した場合、ハードディスクドライブ１３では、常時録画映像は更新され続け、２週間より前に録画された放送映像は消去されるように構成されている。また、ＣＰＵ１１は、ユーザの設定操作によって、連続録画機能と予約録画機能（番組を予め指定して録画する機能）に切替可能に構成されている。
【００２７】
また、図１および図２に示すように、リモコン２は、数字ボタン２１と、チャンネル切替ボタン２２と、電源ボタン２３と、操作信号送信部２４とを含む。そして、操作信号送信部２４は、発光素子等（図示せず）を含み、数字ボタン２１と、チャンネル切替ボタン２２と、電源ボタン２３とのうちのいずれかのボタンが押下された場合には、発光素子から赤外光を発して、押下されたボタンに対応した信号を送信するように構成されている。また、図１に示すように、電源ボタン２３は、押下された場合、ハードディスクレコーダ１の待機状態と動作状態とを切り替える信号を、操作信号送信部２４を介して、ハードディスクレコーダ１に送信するように構成されている。なお、ハードディスクレコーダ１の動作状態とは、電力は供給されている状態で、かつ、ハードディスクレコーダ１がＴＶ３に映像音声信号等を送信する状態である。また、ハードディスクレコーダ１の待機状態とは、電力は供給されている状態で、かつ、ハードディスクレコーダ１がＴＶ３に映像音声信号等を送信しない状態である。また、数字ボタン２１は、１２個の「０」〜「１２」（図１に示すように、「０」と「１０」とは、数字ボタン２１を兼ねるように構成されている）の数字が表記されたボタンを有し、数字ボタン２１のうちのいずれかのボタンが押下された場合、押下された数字ボタン２１の数字情報を、操作信号送信部２４を介して、ハードディスクレコーダ１に送信するように構成されている。また、チャンネル切替ボタン２２は、「アップ」および「ダウン」のボタンを有し、「アップ」および「ダウン」のうちのいずれかのボタンが押下された場合、押下されたチャンネル切替ボタン２２の「アップ」または「ダウン」の情報を、操作信号送信部２４を介して、ハードディスクレコーダ１に送信するように構成されている。
【００２８】
また、図２に示すように、ＴＶ３は、ＣＰＵ３１と、表示部３２と、ＨＤＭＩ端子３３とを含む。そして、ＨＤＭＩ端子３３は、ハードディスクレコーダ１とＨＤＭＩケーブル４を介して接続されており、上述したハードディスクドライブ１３から読み出された放送映像のデータおよびＣＥＣ規格の制御信号を受信するように構成されている。そして、ＣＰＵ３１は、ＣＥＣ規格の制御信号に基づいて、ＴＶ３を待機状態と動作状態とを切り替える制御を行うように構成されている。また、ＣＰＵ３１は、受信した放送映像を表示部３２に表示する制御を行うように構成されている。
【００２９】
次に、図３〜図５を参照して、第１実施形態によるハードディスクレコーダ１の電源オン制御および再生制御処理フローについて説明する。ハードディスクレコーダ１における処理は、ＣＰＵ１１により行われる。
【００３０】
まず、図３に示すように、ハードディスクレコーダ１では、ステップＳ１において、数字ボタン２１が押下されたか否かが判断される。数字ボタン２１が押下された場合、ステップＳ２に進み、数字ボタン２１が押下されない場合、ステップＳ７に進む。たとえば、ユーザがリモコン２を操作する現在の時刻が２２時０分であり、１９時０分に録画された放送映像を再生する場合には、数字ボタン２１のうちの数字「３」が表記された数字ボタン２１が押下される。
【００３１】
そして、ステップＳ２において、ハードディスクレコーダ１の電源がオンされる。その後、ステップＳ３に進む。ここで、第１実施形態では、ＣＰＵ１１は、ハードディスクレコーダ１が待機状態において、数字ボタン２１が押下された場合には、ハードディスクレコーダ１を待機状態から動作状態に切り替える制御（第１電源オン制御）を行う。
【００３２】
また、第１実施形態では、ステップＳ３において、再生する録画時刻の算出が行われる。すなわち、ＣＰＵ１１は、押下された数字ボタン２１の数字情報に対応させて、現在の時刻から遡った時刻を算出する。たとえば、現在の時刻が２２時０分に、押下された数字ボタン２１が「３」の情報を含む場合であれば、２２時０分から３時間遡った時刻である１９時０分を算出する。なお、ＣＰＵ１１は、数字情報と遡る時間との対応関係を、ユーザの設定操作によって、（たとえば、一般的な設定画面（図示せず）等を用いて）変更可能に構成されている。たとえば、「３」の情報は、３０分と対応させてもよいし、３日と対応させてもよい。その後、ステップＳ４に進む。
【００３３】
そして、ステップＳ４において、現在のチャンネルの録画映像があるか否かが判断される。現在のチャンネルの録画映像がある場合には、ステップＳ５に進み、現在のチャンネルの録画映像がない場合には、ステップＳ１７に進む。具体的には、現在のチャンネルとは、ユーザがステップＳ１以前の待機状態になる前に視聴していた受信チャンネルであり、上記算出された時刻に、現在のチャンネルにより録画された放送映像のデータがあるか否かが判断される。
【００３４】
そして、ステップＳ５において、ＴＶ３に電源オン信号が送信される。ここで、第１実施形態では、ＣＰＵ１１は、ＴＶ３を動作状態にするための電源オン信号（表示装置電源オン信号）を、ＨＤＭＩ端子１６を介して、送信する制御を行う。そして、ＴＶ３のＣＰＵ３１は、ＨＤＭＩ端子３３を介して、電源オン信号を取得して、ＴＶ３を待機状態から動作状態に切り替える制御を行う。その後、ステップＳ６に進む。
【００３５】
そして、ステップＳ６において、現在のチャンネルの録画映像が再生される。具体的には、ＣＰＵ１１は、算出された録画時刻に録画された放送映像を、ハードディスクドライブ１３から読み出して、ＨＤＭＩ端子１６を介して、ＴＶ３に送信する。そして、ＴＶ３のＣＰＵ３１は、送信された放送映像を取得して、表示部３２に表示する制御を行う。その後、ステップＳ７に進む。
【００３６】
ここで、第１実施形態では、ステップＳ７において、さらに数字ボタン２１が押下されたか否かが判断される。数字ボタン２１が押下された場合、ステップＳ８に進み、数字ボタン２１が押下されない場合、ステップＳ１１（図５参照）に進む。
【００３７】
そして、ステップＳ８において、再生する録画時刻の算出が行われる。たとえば、再生中の録画映像の録画時刻が１９時０分である場合（現在時刻は２２時０分）に、さらに数字ボタン２１の「２」が押下された場合には、録画時刻は１７時０分として算出される。その後、ステップＳ９（図４参照）に進む。
【００３８】
そして、図４に示すように、ステップＳ９において、現在のチャンネルの録画映像があるか否かが判断される。現在のチャンネルの録画映像がある場合には、ステップＳ１０に進み、現在のチャンネルの録画映像がない場合には、ステップＳ２２に進む。なお、ステップＳ９における現在のチャンネルとは、ステップＳ７において数字ボタン２１が押下されたか否かが判断される時点に再生中の録画映像と同じ受信チャンネルである。
【００３９】
また、ステップＳ１０において、現在のチャンネルの録画映像が再生される。たとえば、再生中の録画映像の録画時刻が１９時０分である場合（現在時刻は２２時０分）に、さらに数字ボタン２１の「２」が押下された場合には、録画時刻は１７時０分の現在のチャンネルの録画映像が再生される。その後、ステップＳ７に戻る。
【００４０】
ここで、第１実施形態では、図５に示すように、ステップＳ７において数字ボタン２１が押下されなかった場合に進むステップＳ１１において、チャンネル切替ボタン２２が押下されたか否かが判断される。チャンネル切替ボタン２２が押下された場合は、ステップＳ１２に進み、チャンネル切替ボタン２２が押下されない場合は、ステップＳ２６に進む。
【００４１】
そして、ステップＳ１２において、他のチャンネルの録画映像があるか否かが判断される。他のチャンネルの録画映像がある場合には、ステップＳ１３に進み、他のチャンネルの録画映像がない場合には、ステップＳ１４に進む。なお、他のチャンネルとは、チャンネル切替ボタン２２のうちの「アップ」または「ダウン」に対応する受信チャンネルである。たとえば、現在のチャンネルが第２チャンネルである場合、チャンネル切替ボタン２２のうちの「アップ」の情報を有するチャンネル切替ボタン２２が押下された場合には、他のチャンネルとは、第３チャンネル（第３チャンネルを録画する設定としておらず、第４チャンネルを録画する設定としている場合は、第４チャンネル）である。一方、チャンネル切替ボタン２２のうちの「ダウン」の情報を有するチャンネル切替ボタン２２が押下された場合には、他のチャンネルとは、第１チャンネル（第１チャンネルを録画する設定としておらず、第６チャンネルを録画する設定としている場合は、第６チャンネル）である。
【００４２】
そして、ステップＳ１３において、他のチャンネルの録画映像の再生が行われる。すなわち、ＣＰＵ１１は、ＣＰＵ１１が再生制御中（録画映像の再生中）で、かつ、チャンネル切替ボタン２２が押下された場合に、現在のチャンネルの録画映像から、押下されたチャンネル切替ボタン２２に対応した放送受信部１２の受信チャンネルにおいて、現在のチャンネルの録画映像と同時刻に受信して録画された放送映像に、再生を切り替える制御を行う。たとえば、第２チャンネルの１９時０分の録画映像を再生中に、「アップ」のチャンネル切替ボタン２２が押下された場合には、第３チャンネルの１９時０分の録画映像を再生する。なお、第３チャンネルの１９時０分の録画映像が、１８時０分から放送開始された番組である場合には、放送された番組の初め（１８時０分）から再生するように、ユーザによる設定操作により変更可能に構成されている。その後、ステップＳ７に戻る。
【００４３】
また、ステップＳ１２において他のチャンネルの録画映像がない場合であるステップＳ１４において、ＴＶ３に録画映像がない旨の信号が送信される。すなわち、現在のチャンネル以外で、同時刻（１９時０分）の録画映像がない場合には、ＣＰＵ１１は、ＨＤＭＩ端子１６を介して、録画映像がない旨の表示のデータを送信して、ＴＶ３のＣＰＵ３１は、送信された録画映像がない旨の表示のデータを取得して、取得した表示を表示部３２に表示する制御を行う。その後、ステップＳ２６に進む。
【００４４】
また、図３に示すように、ステップＳ１において数字ボタン２１が押下されない場合に進むステップＳ１５において、電源ボタン２３が押下されたか否かが判断される。電源ボタン２３が押下された場合は、ステップＳ１６に進み、電源ボタン２３が押下されない場合には、ステップＳ１に戻る。
【００４５】
そして、ステップＳ１６において、ハードディスクレコーダ１の電源がオンされる。上述したステップＳ２と同様に、ハードディスクレコーダ１は、待機状態から動作状態に切り替えられる。その後、電源オン制御処理は終了される。すなわち、この場合、再生制御は実行されずに、ハードディスクレコーダ１は、動作状態（電源オンの状態）となる。
【００４６】
また、ステップＳ４における現在のチャンネルの録画映像がない場合に進むステップＳ１７において、他のチャンネルの録画映像があるか否かが判断される。他のチャンネルの録画映像がある場合には、ステップＳ１８に進み、他のチャンネルの録画映像がない場合には、ステップＳ２０に進む。すなわち、現在のチャンネルが第２チャンネルの場合、上記算出された録画時刻（１９時０分）に他のチャンネル（第１、第３〜第６チャンネル）の録画映像があるか否かが判断される。
【００４７】
そして、ステップＳ１８において、ＴＶ３に電源オン信号が送信される。その後、ステップＳ１９に進む。そして、ステップＳ１９において、録画映像のある他のチャンネルのうちのいずれか（たとえば、チャンネル番号が小さい受信チャンネル）の録画映像が再生される。その後、ステップＳ７に進む。
【００４８】
また、ステップＳ１７において他のチャンネルの録画映像がない場合に進むステップＳ２０において、ＴＶ３に電源オン信号が送信される。その後、ステップＳ２１に進む。そして、ステップＳ２１において、ＴＶ３に他のチャンネルの録画映像がない旨の信号が送信される。なお、他のチャンネルの録画映像がない旨の信号は、上述したステップＳ１４における他のチャンネルの録画映像がない旨の信号と同様である。その後、電源オン制御および再生制御処理が終了される。
【００４９】
また、図４に示すように、ステップＳ９において現在のチャンネルの録画映像がない場合に進むステップＳ２２において、他のチャンネルの録画映像があるか否かが判断される。他のチャンネルの録画映像がある場合には、ステップＳ２３に進み、他のチャンネルの録画映像がない場合には、ステップＳ２４に進む。すなわち、算出された録画時刻（１７時０分）における他のチャンネル（現在のチャンネルが第２チャンネルの場合には、第１または第３〜第６チャンネル）の録画映像があるか否かが判断される。
【００５０】
そして、ステップＳ２３において、他のチャンネルの録画映像が再生される。その後、ステップＳ７に戻る。
【００５１】
また、ステップＳ２２において他のチャンネルの録画映像がない場合に進むステップＳ２４において、ＴＶ３に他のチャンネルの録画映像がない旨が送信される。なお、他のチャンネルの録画映像がない旨の信号は、上述したステップＳ１４における他のチャンネルの録画映像がない旨の信号と同様である。その後、ステップＳ７に戻る。
【００５２】
そして、図５に示すように、ステップＳ１１においてチャンネル切替ボタン２２が押下されない場合に進むステップＳ２６において、現在のチャンネルの録画映像の再生が行われる。すなわち、現在のチャンネルの録画映像の再生が継続される。その後、ステップＳ７に戻る。
【００５３】
第１実施形態では、以下のような効果を得ることができる。
【００５４】
第１実施形態では、上記のようにＣＰＵ１１を構成することによって、リモコン２の数字ボタン２１の押下のみの簡単な操作によって、押下された数字ボタン２１の数字情報に対応した時間分、遡った時刻に録画された放送映像を再生するので、録画時刻を入力して、入力した録画時刻の放送映像を再生する場合に比べて、録画された放送映像を再生することができるので、録画された放送映像をより少ない操作回数により再生することができる。これに加えて、上記のようにリモコン２を構成することによって、リモコン２は、受信チャンネルを変更する機能と、ハードディスクドライブ１３に録画された放送映像を再生するための機能とを兼ね備えるので、録画された放送映像を再生するための専用ボタンを設ける必要がなく、リモコン２の構成が複雑化するのを抑制することができる。その結果、リモコン２の構成が複雑化するのを抑制しながら、放送映像一覧を表示して表示された放送映像一覧から選択する操作を行うことなく、録画された放送映像を簡単な操作で再生することができる。また、ハードディスクドライブ１３を、放送受信部１２が受信した放送映像を所定の期間連続録画可能に構成する場合には、一般的に、多くの放送映像が録画されるので、多くの放送映像から選択する操作を行うことは非常に煩雑である。この場合に、本発明のように、リモコン２の押下のみの簡単な操作によって、録画された放送映像を再生することができることは非常に有効である。
【００５５】
また、第１実施形態では、上記のように、ＣＰＵ１１を、ハードディスクレコーダ１が待機状態、または、ＣＰＵ１１が再生制御中において、録画された放送映像を再生する際に、複数の数字ボタン２１のうちの１つの数字ボタン２１が押下された場合に、押下された数字ボタン２１の数字情報に対応した時間分、現在の時刻から遡った時刻にハードディスクドライブ１３に録画された放送映像を再生する再生制御を行うように構成する。これにより、ハードディスクレコーダ１が待機状態および制御部が再生制御中のいずれの場合にも、リモコン２の数字ボタン２１の押下のみの簡単な操作によって、録画された放送映像を再生することができる。
【００５６】
また、第１実施形態では、上記のように、ＣＰＵ１１を、ハードディスクレコーダ１が待機状態において、録画された放送映像を再生する際に、複数の数字ボタン２１のうちの１つの数字ボタン２１が押下された場合には、ハードディスクレコーダ１を動作状態にする第１電源オン制御を行うとともに、押下された数字ボタン２１の数字情報に対応した時間分、遡った時刻にハードディスクドライブ１３に録画された放送映像を再生する再生制御を行うように構成する。これにより、リモコン２の数字ボタン２１の押下のみの簡単な操作によって、ハードディスクレコーダ１を動作状態にすることと、録画された放送映像を再生することとを同時に行うことができる。その結果、ハードディスクレコーダ１が待機状態から録画された放送映像を再生制御する状態までの操作回数を少なくすることができる。これによっても、簡単な操作で再生を行うことができる。
【００５７】
また、第１実施形態では、上記のように、ＴＶ３と接続可能なＨＤＭＩ端子１６をさらに備え、ＣＰＵ１１を、ハードディスクレコーダ１が待機状態において、録画された放送映像を再生する際に、複数の数字ボタン２１のうちの１つの数字ボタン２１が押下された場合に、ハードディスクレコーダ１を動作状態にする第１電源オン制御と、ＴＶ３を動作状態にするための表示装置電源オン信号をＨＤＭＩ端子１６を介して送信する第２電源オン制御と、押下された数字ボタン２１の数字情報に対応した時間分、遡った時刻にハードディスクドライブ１３に録画された放送映像を再生する再生制御とを行うように構成する。これにより、リモコン２の数字ボタン２１の押下のみの簡単な操作によって、ハードディスクレコーダ１を動作状態にすることと、ＴＶ３を動作状態にすることと、録画された放送映像を再生することとを同時に行うことができる。その結果、ハードディスクレコーダ１が待機状態から録画された放送映像を再生制御してＴＶ３に表示するまでの操作回数をより少なくすることができる。
【００５８】
また、第１実施形態では、上記のように、ＣＰＵ１１を、ＣＰＵ１１が再生制御中において、数字ボタン２１が押下された場合に、押下された数字ボタン２１の数字情報に対応した時間分、さらに遡った時刻にハードディスクドライブ１３に録画された放送映像を再生する再生制御を行うように構成する。これにより、放送映像一覧を表示して、表示された放送映像一覧から選択する操作を行うことなく、ユーザが録画された放送映像を視聴中に、視聴している放送映像よりもさらに遡った時刻に録画された放送映像を簡単な操作で再生することができる。
【００５９】
また、第１実施形態では、上記のように、放送受信部１２を、複数の受信チャンネルの放送映像を同時に受信可能に構成して、リモコン２を、数字ボタン２１とは別個に、放送受信部１２の受信チャンネルを切り替えるチャンネル切替ボタン２２を有し、ＣＰＵ１１を、ＣＰＵ１１が再生制御中で、かつ、チャンネル切替ボタン２２が押下された場合に、ＣＰＵ１１が再生制御中の放送映像から、押下されたチャンネル切替ボタン２２に対応した放送受信部１２の受信チャンネルにおいて、再生制御中の放送映像と同時刻に受信して録画された放送映像に、再生を切り替える制御を行うように構成する。これにより、チャンネル切替ボタン２２の押下のみの簡単な操作によって、容易に、再生制御中の放送映像と同時刻に受信して録画された放送映像のうちのチャンネル切替ボタン２２に対応した受信チャンネルの放送映像を再生することができる。
【００６０】
また、第１実施形態では、上記のように、ハードディスクドライブ１３を、放送受信部１２が受信した放送映像を所定の期間連続録画可能に構成して、ＣＰＵ１１を、連続録画された放送映像を再生する際に、複数の数字ボタン２１のうちの１つの数字ボタン２１が押下された場合に、押下された数字ボタン２１の数字情報に対応した時間分、遡った時刻にハードディスクドライブ１３に連続録画された放送映像を再生する再生制御を行うように構成する。ここで、連続録画する場合は、一般的に連続録画しない場合よりも録画された放送映像の量が多い。この場合に、録画された多くの放送映像を含む放送映像一覧を表示して、表示された多くの放送映像の一覧から選択する操作を行うことは非常に煩雑である。このような場合に、本発明のように、リモコン２の１つの数字ボタン２１の押下のみの簡単な操作によって、より効果的に、少ない操作回数により録画された放送映像を再生することができることは非常に有効である。
【００６１】
（第２実施形態）
次に、図６〜図８を参照して、第２実施形態によるハードディスクレコーダ１ａの構成ついて説明する。第２実施形態では、ハードディスクレコーダに表示部がさらに設けられている。
【００６２】
具体的には、図６に示すように、ハードディスクレコーダ１ａは、ＣＰＵ１１ａと、表示部１８とを含む。そして、図７に示すように、表示部１８は、液晶パネル等により構成されており、ハードディスクレコーダ１ａの前面部のパネルに設けられている。
【００６３】
ここで、第２実施形態では、図８に示すように、表示部１８は、数字ボタン２１の数字情報に対応した数字を表示するように構成されている。そして、ＣＰＵ１１ａは、数字ボタン２１が押下された場合には、押下された数字ボタン２１の数字を表示部１８に表示するとともに、数字に対応した時間分、遡った時刻に録画された放送映像を再生する再生制御を行うように構成されている。
【００６４】
たとえば、図８に示すように、現在時刻が２２時０分の場合に、リモコン２の数字ボタン２１のうち、「３」、「０」、「０」の順に複数の数字ボタン２１が押下された場合には、ＣＰＵ１１ａは、表示部１８に、押下された数字ボタン２１の数字「３」、「０」、「０」を表示させた後（図８（ａ）参照）、１９時０分を示す再生させる放送映像の録画時刻情報を表示させる（図８（ｂ）参照）制御を行うように構成されている。また、第２実施形態によるハードディスクレコーダ１ａのその他の構成は、第１実施形態におけるハードディスクレコーダ１と同様である。
【００６５】
次に、図３〜図５、および図９を参照して、第２実施形態によるハードディスクレコーダ１ａの電源オン制御および再生制御処理フローについて説明する。ハードディスクレコーダ１ａにおける処理は、ＣＰＵ１１ａにより行われる。
【００６６】
まず、図９に示すように、ステップＳ１が実行された後、ステップＳ１０１に進む。ステップＳ１は、第１実施形態によるハードディスクレコーダ１のステップＳ１（図３参照）と同様の処理が行われる。そして、ステップＳ１０１において、押下された数字ボタン２１の数字の表示が表示部１８に表示される（図８（ａ）参照）。その後、ステップＳ２に進む。なお、ステップＳ２およびステップＳ３は、第１実施形態によるハードディスクレコーダ１のステップＳ２およびステップＳ３（図３参照）と同様の処理が行われる。第２実施形態では、ステップＳ３の後、ステップＳ１０２に進む。
【００６７】
そして、ステップＳ１０２において、再生する録画時刻の表示が行われる。たとえば、上述した例のように、算出された録画時刻が１９時０分の場合、ＣＰＵ１１ａは、１９時０分を示す表示を表示部１８に表示させる制御を行う。その後、ステップＳ４に進む。なお、ステップＳ４〜ステップＳ７は、第１実施形態によるハードディスクレコーダ１のステップＳ４〜ステップＳ７（図３参照）と同様の処理が行われる。
【００６８】
また、第２実施形態では、図９に示すように、ステップＳ７において数字ボタン２１が押下された場合には、ステップＳ１０３に進む。ステップＳ１０３において、押下された数字ボタン２１の数字の表示が表示部１８に表示される。その後、ステップＳ８に進む。そして、ステップＳ８において、再生する録画時刻の算出が行われる。その後、ステップＳ１０４（図４参照）に進む。そして、ステップＳ１０４において、再生する録画時刻の表示が行われる。
【００６９】
また、ステップＳ９〜ステップＳ２６（図９、図４および図５参照）は、第１実施形態によるハードディスクレコーダ１のステップＳ９〜ステップＳ２６（図３〜図５参照）と同様の処理が行われる。
【００７０】
第２実施形態では、以下のような効果を得ることができる。
【００７１】
第２実施形態では、上記のように、数字ボタン２１の数字情報に対応した数字を表示する表示部１８をさらに備え、ＣＰＵ１１ａを、数字ボタン２１が押下された場合には、押下された数字ボタン２１の数字を表示部１８に表示するとともに、数字に対応した時間分、遡った時刻に録画された放送映像を再生する再生制御を行うように構成する。これにより、押下された数字ボタン２１の数字を視認することができる。
【００７２】
また、第２実施形態では、上記のように、ＣＰＵ１１ａを、複数の数字ボタン２１が押下された場合には、押下された複数の数字ボタン２１の数字を表示部１８に表示するとともに、複数の数字に対応した時間分、遡った時刻に録画された放送映像を再生する再生制御を行うように構成する。これにより、１つの数字ボタン２１を押下する場合に比べ、より詳細な時間遡って、録画された放送映像を再生することができる。なお、第２実施形態によるハードディスクレコーダ１ａのその他の効果は、第１実施形態におけるハードディスクレコーダ１と同様である。
【００７３】
（第３実施形態）
次に、図６、図１０および図１１を参照して、第３実施形態によるハードディスクレコーダ１ｂの構成ついて説明する。第３実施形態では、ハードディスクレコーダに表示部がさらに設けられているとともに、ＣＰＵは、ＴＶの表示部に現在時刻と録画時刻とを表示させるための信号を、ＴＶに送信するように構成されている。
【００７４】
図６に示すように、ハードディスクレコーダ１ｂは、ＣＰＵ１１ｂと、表示部１８ａとを含む。ここで、第３実施形態では、図１０に示すように、表示部１８ａは、液晶パネル等により構成されており、ハードディスクレコーダ１ｂの前面部のパネルに設けられている。そして、ＣＰＵ１１ｂが再生制御中である場合に、表示部１８ａに、現在時刻情報を表示しながら、再生制御中の放送映像が録画された時刻に対応する録画時刻情報を表示する制御を行うように構成されている。たとえば、図１１に示すように、ＣＰＵ１１ｂは、再生する録画時刻が１９時１５分、現在時刻が２２時１５分の場合には、表示部１８ａ内の液晶パネルに、「録画時刻１９：１５」および「現在時刻２２：１５」と表示する制御を行うように構成されている。
【００７５】
また、第３実施形態では、図１０に示すように、ＣＰＵ１１ｂは、ＣＰＵ１１ｂが再生制御中は、ＨＤＭＩ端子１６（ＨＤＭＩケーブル４）を介して、ＴＶ３に、現在時刻情報を表示させる現在時刻情報信号を送信しながら、ＴＶ３に、再生制御中の放送映像が録画された時刻に対応する録画時刻情報を表示させる録画時刻情報信号を送信する制御を行うように構成されている。具体的には、図１０に示すように、ＣＰＵ１１ｂは、ＴＶ３に、再生する録画映像を送信しながら、現在時刻情報信号および録画時刻情報信号を送信する制御を行うように構成されている。たとえば、録画時刻が１９時１５分、現在時刻が２２時１５分の場合には、ＴＶ３の表示部３２に、「録画時刻１９：１５」および「現在時刻２２：１５」と表示と再生中の録画映像とが共に表示されるように構成されている。この場合、ＣＰＵ１１ｂは、再生中の録画映像と上記録画時刻および現在時刻の画像とを合成して、ＨＤＭＩ端子１６を介して、ＴＶ３に送信するように構成されている。また、第３実施形態によるハードディスクレコーダ１ｂのその他の効果は、第３実施形態におけるハードディスクレコーダ１と同様である。
【００７６】
次に、図３〜図５、および図１２を参照して、第３実施形態によるハードディスクレコーダ１ｂの電源オン制御および再生制御処理フローについて説明する。ハードディスクレコーダ１ｂにおける処理は、ＣＰＵ１１ｂにより行われる。
【００７７】
まず、図１２に示すように、ステップＳ１が実行された後、ステップＳ１０１に進む。ステップＳ１は、第１実施形態によるハードディスクレコーダ１のステップＳ１（図３参照）と同様の処理が行われる。そして、ステップＳ１０１において、押下された数字ボタン２１の数字の表示が表示部１８ａに表示される（図８（ａ）参照）。その後、ステップＳ２に進む。なお、ステップＳ２〜ステップＳ６は、第１実施形態によるハードディスクレコーダ１のステップＳ２〜ステップＳ６（図３参照）と同様の処理が行われる。第３実施形態では、ステップＳ６（、ステップＳ１０、ステップＳ１３、ステップＳ１９、ステップＳ２３またはステップＳ２６）の後、ステップＳ２０１に進む。
【００７８】
そして、ステップＳ２０１において、表示部１８ａに録画時刻および現在時刻の表示（図１１参照）が行われる。その後、ステップＳ２０２に進む。ステップＳ２０２において、ＴＶ３に録画時刻情報信号および現在時刻情報信号が送信される。その後、ステップＳ７に進む。そして、ステップＳ７において、数字ボタン２１が押下されたか否かが判断される。
【００７９】
また、第３実施形態では、図１２に示すように、ステップＳ７において数字ボタン２１が押下された場合には、ステップＳ１０３に進む。ステップＳ１０３において、押下された数字ボタン２１の数字の表示が表示部１８ａに表示される（図８（ａ）参照）。その後、ステップＳ１０４に進む。そして、ステップＳ１０４において、再生する録画時刻の設定が行われる。その後、ステップＳ８に進む。
【００８０】
また、ステップＳ８〜ステップＳ２６（図４、図５および図１２参照）は、第１実施形態によるハードディスクレコーダ１のステップＳ８〜ステップＳ２６（図３〜図５参照）と同様の処理が行われる。
【００８１】
第３実施形態では、以下のような効果を得ることができる。
【００８２】
第３実施形態では、上記のように、ＣＰＵ１１ｂを、ＣＰＵ１１ｂが再生制御中である場合に、表示部１８ａに、現在時刻情報を表示しながら、再生制御中の放送映像が録画された時刻に対応する録画時刻情報を表示する制御を行うように構成する。これにより、現在時刻と録画時刻とを同時に視認することができる。
【００８３】
第３実施形態では、上記のように、ＴＶ３と接続可能なＨＤＭＩ端子１６をさらに備え、ＣＰＵ１１ｂを、ＣＰＵ１１ｂが再生制御中は、ＨＤＭＩ端子１６を介して、ＴＶ３に、現在時刻情報を表示させる現在時刻情報信号を送信しながら、ＴＶ３に、再生制御中の放送映像が録画された時刻に対応する録画時刻情報を表示させる録画時刻情報信号を送信する制御を行うように構成する。これにより、ＴＶ３の表示された放送映像を見ながら、現在時刻と録画時刻とを同時に視認することができる。また、第３実施形態によるハードディスクレコーダ１ｂのその他の効果は、第１実施形態におけるハードディスクレコーダ１と同様である。
【００８４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８５】
たとえば、第１〜第３実施形態では、録画再生装置としてハードディスクレコーダに適用する例を示したが、本発明はこれに限らない。本発明は、録画再生装置としてハードディスクレコーダ以外に適用してもよい。たとえば、ブルーレイディスクレコーダ等に適用してもよい。
【００８６】
また、第１〜第３実施形態では、受信部として６つのチューナを備える放送受信部の例を示したが、本発明はこれに限らない。本発明は、５つ以下のチューナを備える放送受信部によって構成してもよいし、７つ以上のチューナを備える放送受信部よって構成してもよい。
【００８７】
また、第１〜第３実施形態では、遡った時刻の例として３時間または２時間遡る例を示したが、本発明はこれに限らない。本発明は、３時間または２時間以外遡った時刻に録画された放送映像を再生するように構成してもよい。たとえば、数字ボタンの「１０」を押下することによって１０日前の同時刻に録画された放送映像を再生するように構成してもよいし、数字ボタンの「１２」を押下することによって、１２分前に録画された放送映像を再生するように構成してもよい。
【００８８】
また、第１〜第３実施形態では、さらに遡った時刻の例として３時間遡った時刻の放送映像を再生中に、さらに２時間遡った時刻の放送映像を再生する例を示したが、本発明はこれに限らない。たとえば、数字ボタンの「３」を押下することによって３時間遡った時刻の放送映像を再生中に、さらに数字ボタンの「２」を押下することによって２分遡った時刻の放送映像を再生するように構成してもよい。
【００８９】
また、第１〜第３実施形態では、リモコン端末と録画再生装置とは、赤外光を利用して信号を送受信する例を示したが、本発明はこれに限らない。たとえば、本発明は、赤外光以外の無線を利用して信号を送受信するように構成してもよい。
【００９０】
また、第１〜第３実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９１】
１、１ａ、１ｂ  ハードディスクレコーダ（録画再生装置）
２  リモコン（リモコン端末）
３  ＴＶ（外部表示装置）
１１、１１ａ、１１ｂ  ＣＰＵ（制御部）
１２  放送受信部（受信部）
１３  ハードディスクドライブ（記憶部）
１６  ＨＤＭＩ端子（接続部）
１８、１８ａ  表示部
２１  数字ボタン
２２  チャンネル切替ボタン
【図１】
2015126315.tif 000003
【図２】
2015126315.tif 000004
【図３】
2015126315.tif 000005
【図４】
2015126315.tif 000006
【図５】
2015126315.tif 000007
【図６】
2015126315.tif 000008
【図７】
2015126315.tif 000009
【図８】
2015126315.tif 000010
【図９】
2015126315.tif 000011
【図１０】
2015126315.tif 000012
【図１１】
2015126315.tif 000013
【図１２】
2015126315.tif 000014